【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】
複数色の画像を順次形成する複数色画像プリントモードと、単色の画像を形成する単色画像プリントモードを有し、前記複数色画像プリントモードでは、１フレームの単色画像を形成した後にその単色画像に重畳して次の色の画像を形成可能なカラー画像形成装置において、
複数色又は単色の画像が形成された記録媒体上の画像を定着する定着装置、
前記定着装置の温度が目標温度になるように制御する温度制御部とを有し、
前記定着装置は加熱部材と加圧部材を有し該加熱部材と該加圧部材により構成されたニップ部に前記記録媒体を搬送するとともに、
前記温度制御部は、連続して複数枚のプリントを行う場合、所定枚数のプリントをしたとき前記加熱部材の目標温度の切り替えるとともに、単色画像プリント時と複数色画像プリント時で、前記目標温度を切り替えるべき前記所定枚数を変更することを特徴とするカラー画像形成装置。
【請求項２】
前記カラー画像形成装置は、複数色画像プリントモードでは、像担持体上に複数色の画像を順次形成し、単色画像プリントモードでは、像担持体上に単色の画像を形成するとともに、前記像担持体上に形成された複数色画像又は単色画像を記録媒体上に転写する転写手段を有することを特徴とする請求項１に記載のカラー画像形成装置。
【請求項３】
複数色画像プリントモードでは、記録媒体支持体に保持させた記録媒体を像形成部に繰り返して搬送して同一の記録媒体上に複数色の画像を順次形成し、単色画像プリントモードでは、１回搬送して単色の画像を形成することを特徴とする請求項１に記載のカラー画像形成装置。
【請求項４】
前記カラー画像形成装置は複数の定着速度を有し、単色画像プリントモード時と複数色画像プリントモード時で、かつ前記定着速度に応じて前記加熱部材の温調温度の切り替えタイミングを変更することを特徴とする請求項１に記載のカラー画像形成装置。
【請求項５】
前記カラー画像形成装置は前記像担持体または記録媒体支持体の回転数が異なる複数のモードを有し、単色画像プリントモード時と複数色画像プリントモード時で、かつ前記像担持体または記録媒体支持体の回転数に応じて前記加熱部材の温調温度の切り替えタイミングを変更することを特徴とする請求項２又は３に記載のカラー画像形成装置。
【請求項６】
前記加熱部材は、少なくとも金属或いは樹脂のフィルムと、該フィルムに当接する発熱体と、を有することを特徴とする請求項１に記載のカラー画像形成装置。
【請求項７】
複数色の画像を順次形成する複数色画像プリントモードと、単色の画像を形成する単色画像プリントモードを有し、前記複数色画像プリントモードでは、１フレームの単色画像を形成した後にその単色画像に重畳して次の色の画像を形成可能なカラー画像形成装置において、
複数色又は単色の画像が形成された記録媒体上の画像を定着する定着装置、
前記定着装置の温度が目標温度になるように制御する温度制御部とを有し、
前記定着装置は加熱部材と加圧部材を有し該加熱部材と該加圧部材により構成されたニップ部に前記記録媒体を搬送するとともに、
前記温度制御部は、連続して複数枚のプリントを行う場合、連続プリントの途中で前記加熱部材の目標温度を低下させるとともに、単色画像プリント時における連続プリントの枚数に対する目標温度の低下量を、複数色画像プリント時における連続プリントの枚数に対する目標温度の低下量よりも小さくしたことを特徴とするカラー画像形成装置。
【請求項８】
前記カラー画像形成装置は、複数色画像プリントモードでは、像担持体上に複数色の画像を順次形成し、単色画像プリントモードでは、像担持体上に単色の画像を形成するとともに、前記像担持体上に形成された複数色画像又は単色画像を記録媒体上に転写する転写手段を有することを特徴とする請求項７に記載のカラー画像形成装置。
【請求項９】
複数色画像プリントモードでは、記録媒体支持体に保持させた記録媒体を像形成部に繰り返して搬送して同一の記録媒体上に複数色の画像を順次形成し、単色画像プリントモードでは、１回搬送して単色の画像を形成することを特徴とする請求項７に記載のカラー画像形成装置。
【請求項１０】
前記カラー画像形成装置は複数の定着速度を有し、第１の定着速度における連続プリントの枚数に対する目標温度の低下量を、前記第１の定着速度より大きい第２の定着速度における連続プリントの枚数に対する目標温度の低下量よりも、大きくしたことを特徴とする請求項８に記載のカラー画像形成装置。
【手続補正２】
【補正対象書類名】明細書
【補正対象項目名】００１４
【補正方法】変更
【補正の内容】
【００１４】
（１）複数色の画像を順次形成する複数色画像プリントモードと、単色の画像を形成する単色画像プリントモードを有し、前記複数色画像プリントモードでは、１フレームの単色画像を形成した後にその単色画像に重畳して次の色の画像を形成可能なカラー画像形成装置において、
複数色又は単色の画像が形成された記録媒体上の画像を定着する定着装置、
前記定着装置の温度が目標温度になるように制御する温度制御部とを有し、
前記定着装置は加熱部材と加圧部材を有し該加熱部材と該加圧部材により構成されたニップ部に前記記録媒体を搬送するとともに、
前記温度制御部は、連続して複数枚のプリントを行う場合、所定枚数のプリントをしたとき前記加熱部材の目標温度の切り替えるとともに、単色画像プリント時と複数色画像プリント時で、前記目標温度を切り替えるべき前記所定枚数を変更することを特徴とするカラー画像形成装置。
【手続補正３】
【補正対象書類名】明細書
【補正対象項目名】００１５
【補正方法】変更
【補正の内容】
【００１５】
（２）前記カラー画像形成装置は、複数色画像プリントモードでは、像担持体上に複数色の画像を順次形成し、単色画像プリントモードでは、像担持体上に単色の画像を形成するとともに、前記像担持体上に形成された複数色画像又は単色画像を記録媒体上に転写する転写手段を有することを特徴とする（１）に記載のカラー画像形成装置。
【手続補正４】
【補正対象書類名】明細書
【補正対象項目名】００１６
【補正方法】変更
【補正の内容】
【００１６】
（３）複数色画像プリントモードでは、記録媒体支持体に保持させた記録媒体を像形成部に繰り返して搬送して同一の記録媒体上に複数色の画像を順次形成し、単色画像プリントモードでは、１回搬送して単色の画像を形成することを特徴とする（１）に記載のカラー画像形成装置。
【手続補正５】
【補正対象書類名】明細書
【補正対象項目名】００１７
【補正方法】変更
【補正の内容】
【００１７】
（４）前記カラー画像形成装置は複数の定着速度を有し、単色画像プリントモード時と複数色画像プリントモード時で、かつ前記定着速度に応じて前記加熱部材の温調温度の切り替えタイミングを変更することを特徴とする（１）に記載のカラー画像形成装置。
【手続補正６】
【補正対象書類名】明細書
【補正対象項目名】００１８
【補正方法】変更
【補正の内容】
【００１８】
（５）前記カラー画像形成装置は前記像担持体または記録媒体支持体の回転数が異なる複数のモードを有し、単色画像プリントモード時と複数色画像プリントモード時で、かつ前記像担持体または記録媒体支持体の回転数に応じて前記加熱部材の温調温度の切り替えタイミングを変更することを特徴とする（２）又は（３）に記載のカラー画像形成装置。
【手続補正７】
【補正対象書類名】明細書
【補正対象項目名】００１９
【補正方法】変更
【補正の内容】
【００１９】
（６）前記加熱部材は、少なくとも金属或いは樹脂のフィルムと、該フィルムに当接する発熱体と、を有することを特徴とする（１）に記載のカラー画像形成装置。
（７）複数色の画像を順次形成する複数色画像プリントモードと、単色の画像を形成する単色画像プリントモードを有し、前記複数色画像プリントモードでは、１フレームの単色画像を形成した後にその単色画像に重畳して次の色の画像を形成可能なカラー画像形成装置において、
複数色又は単色の画像が形成された記録媒体上の画像を定着する定着装置、
前記定着装置の温度が目標温度になるように制御する温度制御部とを有し、
前記定着装置は加熱部材と加圧部材を有し該加熱部材と該加圧部材により構成されたニップ部に前記記録媒体を搬送するとともに、
前記温度制御部は、連続して複数枚のプリントを行う場合、連続プリントの途中で前記加熱部材の目標温度を低下させるとともに、単色画像プリント時における連続プリントの枚数に対する目標温度の低下量を、複数色画像プリント時における連続プリントの枚数に対する目標温度の低下量よりも小さくしたことを特徴とするカラー画像形成装置。
（８）前記カラー画像形成装置は、複数色画像プリントモードでは、像担持体上に複数色の画像を順次形成し、単色画像プリントモードでは、像担持体上に単色の画像を形成するとともに、前記像担持体上に形成された複数色画像又は単色画像を記録媒体上に転写する転写手段を有することを特徴とする（７）に記載のカラー画像形成装置。
（９）複数色画像プリントモードでは、記録媒体支持体に保持させた記録媒体を像形成部に繰り返して搬送して同一の記録媒体上に複数色の画像を順次形成し、単色画像プリントモードでは、１回搬送して単色の画像を形成することを特徴とする（７）に記載のカラー画像形成装置。
（１０）前記カラー画像形成装置は複数の定着速度を有し、第１の定着速度における連続プリントの枚数に対する目標温度の低下量を、前記第１の定着速度より大きい第２の定着速度における連続プリントの枚数に対する目標温度の低下量よりも、大きくしたことを特徴とする（８）に記載のカラー画像形成装置。